(57)【特許請求の範囲】
【請求項１】
成形型(25)のキャビティ(33)内に射出充填した熱可塑性樹脂(R)が固化する過程で、キャビティ容積を拡大して上記熱可塑性樹脂(R)を膨張させることにより、スキン層(15)が表面に形成されるとともに多数の空隙を有する膨張層(17)が内部に形成された膨張パネル部(3)と、
該膨張パネル部(3)によって周囲が包囲され、成形時にキャビティ容積を拡大せずに形成されたソリッド層(19)からなるソリッドパネル部(9)とで一体に構成されたパネル状の樹脂成形体であって、
膨張成形時に、上記膨張パネル部(3)と上記ソリッドパネル部(9)との境界に対応するキャビティ箇所に熱可塑性樹脂(R)をその周りよりもキャビティ容積が拡大する方向に多く充填した状態で上記キャビティ容積を拡大することにより、上記膨張パネル部(3)は上記ソリッドパネル部(9)より板厚が厚く形成されているとともに、上記膨張パネル部(3)の上記ソリッドパネル部(9)との境界に板厚方向に起立するソリッド層(20)からなる起立壁(21)がソリッドパネル部(9)を包囲するように形成され、かつ該起立壁(21)の板厚方向先端には上記膨張パネル部(3)のパネル面(3a)より高く突出するようにソリッド層からなる隆起部(23)が一体に形成されていることを特徴とする樹脂成形体。
【請求項２】
請求項１に記載の樹脂成形体の成形方法であって、
固定型(27)と、該固定型(27)に対して進退可能に対向配置された可動型(29)と、該可動型(29)側に設けられたソリッドパネル部(9)成形用のスライド型(31)とを備え、上記可動型(29)の成形面(29b)における上記スライド型(31)との隣接部分に該スライド型(31)の側面(31d)との間に隙間(C)を有するように面取り部(29c)が形成された成形型(25)を用意し、
上記可動型(29)及びスライド型(31)の成形面(29b,31a)が略面一となるように上記成形型(25)を型閉じした状態で、成形型(25)のキャビティ(33)内に熱可塑性樹脂(R)を射出充填して該キャビティ(33)内で上記熱可塑性樹脂(R)が固化する過程で、上記スライド型(31)は後退させずに上記可動型(29)のみを型開き方向に後退させて可動型(29)対応箇所の熱可塑性樹脂(R)を膨張させることを特徴とする樹脂成形体の成形方法。
【請求項３】
請求項２に記載の樹脂成形体の成形方法において、
面取り部(29c)の型開き方向の高さ（Ｈ）と熱可塑性樹脂(R)の膨張倍率（Ｗ）との関係が下記の式
Ｈ≧Ｗ×１／２ｍｍ
を満たすとともに、
上記可動型(29)の成形面(29b)に沿う上記面取り部(29c)の幅（Ｄ）が下記の式
５≧Ｄ≧１ｍｍ
を満たし、
かつ型閉じ時の膨張パネル部(3)に対応するキャビティ空間の型開き方向の空間長さ（Ｌ）が下記の式
６≧Ｌ≧１．５ｍｍ
を満たすことを特徴とする樹脂成形体の成形方法。
【発明の詳細な説明】
【技術分野】
【０００１】
この発明は、スキン層が表面に形成されるとともに多数の空隙を有する膨張層が内部に形成された膨張パネル部と、該膨張パネル部に隣接するソリッドパネル部とで構成されたパネル状の樹脂成形体及びその成形方法に関するものである。
【背景技術】
【０００２】
特許文献１では、可動型を内部に収容した移動型と固定型とからなる成形型を型閉じした状態で、キャビティ内に繊維入り熱可塑性樹脂を射出充填し、該キャビティ内で上記熱可塑性樹脂が固化する過程で、上記移動型内で可動型をキャビティ容積が拡大する方向に後退させて熱可塑性樹脂を成形型で圧縮されている繊維の弾性復元力（スプリングバック現象）で膨張させることにより、スキン層が表面に形成されるとともに多数の空隙を有する膨張層が内部に形成された樹脂成形体を得るようにしている。そして、この樹脂成形体では、上記膨張層を樹脂成形体のパネル全域に形成することにより軽量化を図っている。また、特許文献１では、移動型の側面と可動型の側面との間に隙間を形成して該隙間に熱可塑性樹脂を充填することにより、可動型の後退時に樹脂成形体の成形表面への悪影響をなくして樹脂成形体の側面外観の見栄えを向上させている。
【特許文献１】特開平１１−１５６８８１号公報（段落００３３欄、図２）
【発明の開示】
【発明が解決しようとする課題】
【０００３】
ところで、上述の如く膨張層がパネル全域に形成されている樹脂成形体に部品を取り付ける場合、部品取付箇所を膨張層のないソリッド層で形成して剛性を高めることが考えられる。
【０００４】
しかし、このように膨張層を有する膨張パネル部にソリッド層からなるソリッドパネル部が隣接した樹脂成形体では、成形型のキャビティ容積を拡大して膨張パネル部の膨張層を形成する際、膨張パネル部のソリッドパネル部との境界において固化（凝固）中の樹脂が可動型の成形面で板厚方向に引っ張られるため、当該箇所に亀裂が発生して樹脂成形体の強度剛性が低下することになる。
【０００５】
この発明はかかる点に鑑みてなされたものであり、その目的とするところは、膨張成形された樹脂成形体において、膨張パネル部のソリッドパネル部との境界に亀裂が発生しないようにすることである。
【課題を解決するための手段】
【０００６】
上記の目的を達成するため、この発明は、膨張パネル部のソリッドパネル部との境界部分の構造を工夫したことを特徴とし、次のような解決手段を講じた。
【０００７】
すなわち、請求項１に記載の発明は、成形型のキャビティ内に射出充填した熱可塑性樹脂が固化する過程で、キャビティ容積を拡大して上記熱可塑性樹脂を膨張させることにより、スキン層が表面に形成されるとともに多数の空隙を有する膨張層が内部に形成された膨張パネル部と、該膨張パネル部によって周囲が包囲され、成形時にキャビティ容積を拡大せずに形成されたソリッド層からなるソリッドパネル部とで一体に構成されたパネル状の樹脂成形体であって、膨張成形時に、上記膨張パネル部と上記ソリッドパネル部との境界に対応するキャビティ箇所に熱可塑性樹脂をその周りよりもキャビティ容積が拡大する方向に多く充填した状態で上記キャビティ容積を拡大することにより、上記膨張パネル部は上記ソリッドパネル部より板厚が厚く形成されているとともに、上記膨張パネル部の上記ソリッドパネル部との境界に板厚方向に起立するソリッド層からなる起立壁がソリッドパネル部を包囲するように形成され、かつ該起立壁の板厚方向先端には上記膨張パネル部のパネル面より高く突出するようにソリッド層からなる隆起部が一体に形成されていることを特徴とする。
【０００８】
請求項２に記載の発明は、請求項１に記載の樹脂成形体の成形方法であって、固定型と、該固定型に対して進退可能に対向配置された可動型と、該可動型側に設けられたソリッドパネル部成形用のスライド型とを備え、上記可動型の成形面における上記スライド型との隣接部分に該スライド型の側面との間に隙間を有するように面取り部が形成された成形型を用意し、上記可動型及びスライド型の成形面が略面一となるように上記成形型を型閉じした状態で、成形型のキャビティ内に熱可塑性樹脂を射出充填して該キャビティ内で上記熱可塑性樹脂が固化する過程で、上記スライド型は後退させずに上記可動型のみを型開き方向に後退させて可動型対応箇所の熱可塑性樹脂を膨張させることを特徴とする。
【０００９】
請求項３に記載の発明は、請求項２に記載の発明において、
面取り部の型開き方向の高さ（Ｈ）と熱可塑性樹脂の膨張倍率（Ｗ）との関係が下記の式
Ｈ≧Ｗ×１／２ｍｍ
を満たすとともに、
上記可動型の成形面に沿う上記面取り部の幅（Ｄ）が下記の式
５≧Ｄ≧１ｍｍ
を満たし、
かつ型閉じ時の膨張パネル部に対応するキャビティ空間の型開き方向の空間長さ（Ｌ）が下記の式
６≧Ｌ≧１．５ｍｍ
を満たすことを特徴とする。
【発明の効果】
【００１０】
請求項１に係る発明によれば、膨張パネル部の表面にスキン層が形成されるとともに、内部に多数の空隙を有する膨張層が形成され、樹脂成形体の軽量化を図ることができる。また、上記膨張パネル部に隣接するソリッドパネル部がソリッド層で形成されているため、該ソリッドパネル部の強度剛性を高めることができる。しかも、上記膨張パネル部のソリッドパネル部との境界にソリッド層からなる起立壁が形成され、かつ該起立壁先端にソリッド層からなる隆起部が膨張パネル部のパネル面より高く突出するように一体に形成されているということは、膨張成形時に、上記起立壁部分の熱可塑性樹脂は、予めその周りよりもキャビティ容積が拡大する方向に多く充填されていて、成形型の成形面で板厚方向に引っ張られず、よって、起立壁に亀裂が発生せず、樹脂成形体の強度剛性を確保することができる。また、上記隆起部は起立壁に一体形成されてリブの機能をなすので、上記境界近傍の強度剛性がさらに向上する。
【００１１】
請求項２に係る発明によれば、可動型の成形面におけるスライド型との隣接部分に該スライド型の側面との間に隙間を有するように面取り部を形成するだけで、型構造を大幅に改変することなく請求項１に係る樹脂成形体を簡単に成形することができる。
【００１２】
請求項３に係る発明によれば、可動型の成形面に形成された面取り部の寸法を、熱可塑性樹脂の膨張倍率やキャビティ空間の型開き方向の寸法との関係で適正に設定することで、軽量で強度剛性が向上した樹脂成形体を確実に得ることができる。
【発明を実施するための最良の形態】
【００１３】
以下、この発明の実施の形態について図面に基づいて説明する。
【００１４】
図２はこの発明の一実施形態に係る樹脂成形体としての自動車のサイドドアの一部を構成するパネル状の樹脂製キャリアプレート（ドアモジュール）１を車室内側から見た斜視図である。このキャリアプレート１は、図示しないが、ドアアウタパネルとドアインナパネルとからなるドア本体の上記ドアインナパネルに組み付けられ、該ドアインナパネルにはドアトリムが上記キャリアプレート１を車室内側から被うように取り付けられる。
【００１５】
上記キャリアプレート１は、その主体（プレート本体）をなす膨張パネル部３を備え、該膨張パネル部３の外周縁部には、キャリアプレート１をドアインナパネルに取り付けるための複数個の円筒状取付座５が所定間隔をあけて全周に亘って一体に形成されているとともに、図２左下には円環状のスピーカ取付部７が一体に形成されている。また、該スピーカ取付部７の図２右斜め上には、上記膨張パネル部３とでキャリアプレート１を構成する略三角形状のソリッドパネル部９が上記膨張パネル部３によって周囲が包囲されて一体に形成され、該ソリッドパネル部９のほぼ中央には、図示しないウインドガラス昇降用モータを取り付けるための円形状のモータ取付孔１１が形成されているとともに、該モータ取付孔１１の周りには３個のネジ挿通用の貫通孔１３が三角形の頂点の位置に対応して形成されている。
【００１６】
上記膨張パネル部３は、図１に示すように、後述する成形型２５のキャビティ３３内に射出充填した繊維入り熱可塑性樹脂Ｒが固化する過程で、該膨張パネル部３に対応するキャビティ容積を拡大して上記熱可塑性樹脂Ｒを繊維（図示せず）の弾性復元力（膨張力）で膨張させることにより、空隙がなく堅いスキン層１５が表面に形成されるとともに、多数の空隙（図示せず）を有する膨張層１７が車室内側に膨出するように内部に形成されている。これに対し、上記ソリッドパネル部９は、成形時に該ソリッドパネル部９に対応するキャビティ容積を拡大せず、膨張層１７を有しない堅いソリッド層１９からなっている。したがって、上記膨張パネル部３の板厚Ｔ１は上記ソリッドパネル部９の板厚Ｔ２より厚く形成されている。また、膨張パネル部３のソリッドパネル部９との境界に板厚方向に起立する堅いソリッド層２０からなる起立壁２１がソリッドパネル部９を包囲するように形成されている。さらに、この発明の特徴として、上記起立壁２１の板厚方向先端には、上記膨張パネル部３の車室内側のパネル面３ａより高く突出するようにソリッド層からなる断面略三角形状の隆起部２３が一体に形成されている。これら起立壁２１及び隆起部２３は、膨張成形時に、上記膨張パネル部３と上記ソリッドパネル部９との境界に対応するキャビティ箇所に熱可塑性樹脂Ｒをその周りよりもキャビティ容積が拡大する方向に多く充填した状態で上記キャビティ容積を拡大することにより成形される。
【００１７】
このように、膨張パネル部３表面全体にスキン層１５が形成されるとともに、内部に多数の空隙を有する膨張層１７が形成されることで、キャリアプレート１の軽量化を図ることができる。また、上記ソリッドパネル部９が膨張層１７を有しない堅いソリッド層１９で形成されているので、ソリッドパネル部９の強度剛性を高めて該ソリッドパネル部９にウインドガラス昇降用モータを安定して取り付けることができる。また、上記隆起部２３は起立壁２１に一体形成されてリブの機能をなすので、上記境界近傍の強度剛性がさらに向上する。
【００１８】
このようなキャリアプレート１は、図３及び図４に示すような成形型２５で成形される。
【００１９】
この成形型２５は、固定型２７と、該固定型２７に対して進退可能に対向配置された可動型２９と、該可動型２９側に設けられたソリッドパネル部９成形用のスライド型３１とを備えている。このスライド型３１は、上記可動型２９の上記ソリッドパネル部９に対応して形成された挿入孔２９ａに相対移動可能に挿入され、上記固定型２７側に対して突出するようにスプリング、シリンダ等の付勢手段（図示せず）で付勢されている。また、上記スライド型３１の成形面３１ａには、大径凸部３１ｂがモータ取付孔１１に対応して一体に突設されているとともに、３個の小径凸部３１ｃが上記貫通孔１３に対応して一体に突設されている。そして、成形型２５を型閉じした状態で、上記スライド型３１の凸部３１ｂ，３１ｃ先端面を上記固定型２７の成形面２７ａに当接させ、該固定型２７の成形面２７ａと上記可動型２９及びスライド型３１の成形面２９ｂ，３１ａとの間にキャビティ３３を形成するようにしている。さらに、上記可動型２９の成形面２９ｂにおける上記スライド型３１との隣接部分には、該スライド型３１の側面３１ｄとの間に隙間Ｃを有するように斜めに切り欠いた傾斜面からなる面取り部２９ｃが形成されている。
【００２０】
特に、上記成形型２５においては、上記面取り部２９ｃの型開き方向の高さ（Ｈ）と熱可塑性樹脂Ｒの膨張倍率（Ｗ）との関係が下記の式
Ｈ≧Ｗ×１／２ｍｍ
を満たすように設定されている。
【００２１】
ここで、熱可塑性樹脂Ｒの膨張倍率（Ｗ）は２．０倍以上あればよい。したがって、面取り部２９ｃの型開き方向の高さ（Ｈ）は、少なくとも１ｍｍである。このように設定したのは、１ｍｍ未満では、膨張成形時に隙間Ｃに充填された熱可塑性樹脂Ｒの量が上記膨張倍率（Ｗ）＝２．０に対して不足し、その結果、起立壁２１が可動型２９の型開き方向の後退に伴って板厚方向に引っ張られ、起立壁２１に亀裂が発生してしまうからである。なお、上記面取り部２９ｃの型開き方向の高さ（Ｈ）の上限は、その数値はあまり大きくなると隆起部２３の突出量が必要以上に大きくなって好ましくなく、用途目的に応じて適宜決定される。
【００２２】
また、上記可動型２９の成形面２９ｂに沿う上記面取り部２９ｃの幅（Ｄ）が下記の式
５≧Ｄ≧１ｍｍ
を満たすように設定されている。
【００２３】
このように設定したのは、面取り部２９ｃの幅（Ｄ）が１ｍｍ未満では、起立壁２１のソリッド層２０が薄くなり過ぎて膨張成形時に亀裂が発生し易くなるからである。一方、５ｍｍを超えると起立壁２１のソリッド層２０及び隆起部２３の幅方向の厚さが厚くなり過ぎて軽量化を促進できないからである。
【００２４】
さらに、型閉じ時の膨張パネル部３に対応するキャビティ空間の型開き方向（板厚方向）の空間長さ（Ｌ）が下記の式
６≧Ｌ≧１．５ｍｍ
を満たすように設定されている。
【００２５】
このように設定したのは、空間長さ（Ｌ）が１．５ｍｍ未満では、膨張パネル部３の剛性が低下する一方、６ｍｍを超えると、キャリアプレート１全体が厚くなり過ぎて軽量化を促進できないからである。なお、ソリッドパネル部９に対応するキャビティ空間の型開き方向の空間長さは、上記空間長さ（Ｌ）と同等に設定されている。
【００２６】
このように、可動型２９の面取り部２９ｃの寸法を、熱可塑性樹脂Ｒの膨張倍率（Ｗ）やキャビティ空間の型開き方向の空間長さ（Ｌ）との関係で適正に設定することで、軽量で剛性の向上したキャリアプレート１を確実に得ることができる。
【００２７】
因みに、熱可塑性樹脂Ｒの膨張倍率（Ｗ）が２．０倍、キャビティ空間の型開き方向の空間長さ（Ｌ）が１．５ｍｍ、面取り部２９ｃの幅（Ｄ）が０ｍｍ、面取り部２９ｃの型開き方向の高さ（Ｈ）が０ｍｍのとき、膨張パネル部３の起立壁２１に亀裂が発生したが、熱可塑性樹脂Ｒの膨張倍率（Ｗ）が２．０倍、キャビティ空間の型開き方向の空間長さ（Ｌ）が１．５ｍｍ、面取り部２９ｃの幅（Ｄ）が１ｍｍ、面取り部２９ｃの型開き方向の高さ（Ｈ）が１ｍｍのときには、亀裂が発生しなかった。
【００２８】
次に、上記成形型２５を用いてキャリアプレート１を成形する要領について説明する。
【００２９】
まず、図３に示すように、可動型２９及びスライド型３１の成形面２９ｂ，３１ａが略面一となるように成形型２５を型閉じした状態で、キャビティ３３内に射出機（図示せず）からガラス繊維等の繊維入り熱可塑性樹脂Ｒ（例えば繊維入りポリプロピレン樹脂）を射出充填する。この状態で、可動型２９の面取り部２９ｃとスライド型３１の側面３１ｄとの間に形成された隙間Ｃに上記熱可塑性樹脂Ｒが充填される。
【００３０】
その後、成形型２５のキャビティ３３内で熱可塑性樹脂Ｒが固化する過程で、すなわち、キャビティ３３における成形型２５（固定型２７、可動型２９）の成形面２７ａ，２９ｂ近傍にスキン層１５が生成された時点で、図４に示すように、スライド型３１は後退させずに可動型２９のみをキャビティ容積が拡大する型開き方向イに後退させる。つまり、可動型２９を固定型２７から僅かに離れさせ、膨張パネル部３に対応するキャビティ容積を例えば２倍（膨張倍率（Ｗ）＝２．０）もしくはそれ以上に拡大させる。この段階で、熱可塑性樹脂Ｒは、成形型２５（固定型２７及び可動型２９）の成形面２７ａ，２９ｂと接触する部分が型温の影響により早期に冷却されているため、空隙がなく堅いスキン層１５となって表面層を構成する。一方、熱可塑性樹脂Ｒの内側部分は型温の影響を受け難く、粘度の高いゲル状態になっている。したがって、キャビティ容積の拡大により、それまで固定型２７及び可動型２９で圧縮されている繊維が該圧縮から解放されて弾性的に復元し、この弾性復元力（スプリングバック現象）すなわち膨張圧で上記熱可塑性樹脂Ｒが膨張する。このことにより、空隙がなく堅いスキン層１５が表面に形成されるとともに、膨張パネル部３の内部に多数の空隙（図示せず）を有する膨張層１７が形成された膨張パネル部３がソリッドパネル部９によって周囲が包囲されてキャリアプレート１に一体に成形される。これにより、膨張パネル部３が膨張層１７を有しないソリッド層１９のみからなりかつ本実施形態の膨張パネル部３と同一肉厚である場合に比べて、キャリアプレート１の軽量化を図ることができる。また、上記膨張パネル部３のソリッドパネル部９との境界に堅いソリッド層２０からなる起立壁２１がソリッドパネル部９を包囲するように形成され、かつ該起立壁２１先端には堅いソリッド層からなる隆起部２３が膨張パネル部３のパネル面３ａより高く突出するように一体に形成されている。この状態で、上記隆起部２３先端は可動型２９の面取り部２９ｃと僅かな間隔をあけて非接触状態にある。そして、膨張成形時に、上記起立壁２１部分の熱可塑性樹脂Ｒは、予めその周りよりもキャビティ容積を拡大する方向に多く充填されていて（図３参照）、可動型２９の成形面２９ｂで板厚方向にほとんど引っ張られずにあまり動かないため、起立壁２１への亀裂発生を回避できてキャリアプレート１の強度剛性を確保することができる。
【００３１】
一方、可動型２９の上記後退時にはスライド型３１は固定型２７側に付勢されて後退しないので、成形時にソリッドパネル部９に対応するキャビティ容積が拡大せず、熱可塑性樹脂Ｒ中の繊維は弾性復元が抑制されて、成形されたソリッドパネル部９は、膨張層１７を有しない堅いソリッド層１９になって成形され、ソリッドパネル部９の剛性を高めることができる。
【００３２】
このように、可動型２９の成形面２９ｂにおけるスライド型３１との隣接部分に該スライド型３１の側面３１ｄとの間に隙間Ｃを有するように面取り部２９ｃを形成し、上記可動型２９を後退させて膨張パネル部３対応箇所のキャビティ容積を型開き方向に拡大させるだけで、型構造を大幅に改変することなく、軽量でしかもウインドガラス昇降用モータの取付箇所（ソリッドパネル部９）の強度剛性を高めたキャリアプレート１を簡単に成形することができる。
【００３３】
なお、上記の実施形態では、可動型２９の面取り部２９ｃを斜めに切り欠いた傾斜面で形成した場合を示したが、図５及び図６に示す変形例のように、直角に切り欠いた形状にしてもよく、さらには、図示しないが、隙間Ｃに向かって凸状に湾曲した形状や、あるいは逆に凹状に湾曲した形状にしてもよい。
【００３４】
また、上記の実施形態では、繊維のスプリングバック現象を利用して膨張パネル部３の内部に空隙を形成したが、繊維入り熱可塑性樹脂Ｒに発泡材を含有させれば、可動型２９の後退量すなわち膨張倍率（Ｗ）を大きくして膨張パネル部３の可動型後退方向の肉厚（板厚）を厚くした場合、スプリングバック現象における繊維の復元力（膨張圧）が不足しても、発泡材の発泡力（膨張圧）が繊維の復元力を補完して空隙を確実に形成することができて好ましい。また、繊維を混入せずに発泡材だけを混入した熱可塑性樹脂を用いてキャリアプレート１（樹脂成形体）を成形することも用途目的によっては可能である。これらの場合、発泡材としては、化学反応によりガスを発生させる化学的発泡材や、二酸化炭素ガス及び窒素ガス等の不活性ガスを用いる物理的発泡材等がある。
【００３５】
さらに、上記の実施形態では、樹脂成形体が自動車のサイドドアのキャリアプレート１である場合を示したが、インストルメントパネル、ドアトリム、トランクボード等の他の自動車用パネルや自動車以外の荷電製品、住宅用パネル等にも適用することができるものである。
【産業上の利用可能性】
【００３６】
この発明は、スキン層が表面に形成されるとともに多数の空隙を有する膨張層が内部に形成された膨張パネル部と、該膨張パネル部に隣接するソリッドパネル部とで構成されたパネル状の樹脂成形体及びその成形方法について有用である。
【図面の簡単な説明】
【００３７】
【図１】図２のＩ−Ｉ線における断面図である。
【図２】一実施形態に係るキャリアプレートを車室内側から見た斜視図である。
【図３】キャビティ内に熱可塑性樹脂を射出充填した状態を示す図１対応箇所の成形型図である。
【図４】図３の可動型をキャビティ容積が拡大する方向に僅かに後退させた成形型図である。
【図５】変形例における図３のＡ部相当図である。
【図６】変形例における図４のＢ部相当図である。
【符号の説明】
【００３８】
１          キャリアプレート（樹脂成形体）
３          膨張パネル部
３ａ        膨張パネル部のパネル面
９          ソリッドパネル部
１５        スキン層
１７        膨張層
１９，２０  ソリッド層
２１        起立壁
２３        隆起部
２５        成形型
２７        固定型
２９        可動型
２９ｂ      可動型の成形面
２９ｃ      面取り部
３１        スライド型
３１ａ      スライド型の成形面
３１ｄ      スライド型の側面
３３        キャビティ
Ｃ          隙間
Ｄ          面取り部の幅
Ｈ          面取り部の型開き方向の高さ
Ｌ          キャビティ空間の型開き方向の空間長さ
Ｔ１        膨張パネル部の板厚
Ｔ２        ソリッドパネル部の板厚
Ｒ          熱可塑性樹脂
Ｗ          熱可塑性樹脂の膨張倍率
【図１】
0004773191.tif 000002
【図２】
0004773191.tif 000003
【図３】
0004773191.tif 000004
【図４】
0004773191.tif 000005
【図５】
0004773191.tif 000006
【図６】
0004773191.tif 000007